(57)【要約】      （修正有）【課題】器具本体の前面側に第１光源ユニットを備え、背面側に第２光源ユニットが複数配置された円型の照明装置において、複数の第２光源ユニット同士の切れ目に相当する箇所で照射面に影が生じるのを抑えて、照射面の見栄えを良くする。【解決手段】本体１０の背面側には、電源ユニット２０を覆うように保護カバー２４が装着されている。保護カバー２４は、背面側に突出する凸状部２５を有し、凸状部２５の内部に、電源ユニット２０（制御ブロック２２及び電源ブロック２３等）が填まり込んだ状態で収納されている。筒状部は、４つの面部分を有し、平面視において４角状である。４つの第２光源ユニット４が、４つの面部分に沿って配置されている。第２光源ユニット４の長さは、各面部分の水平方向の長さ以上、すなわち筒状部を平面視したときの辺の長さ以上に設定されている。【選択図】図３
2014130738.tif 000002
【特許請求の範囲】
【請求項１】
円形状の外周を有するケース内に電源ユニットが収納された器具本体と、前記器具本体の前面側に設けられた第１光源ユニットとを備える円型の照明装置であって、
前記器具本体は、前記器具本体の背面側の中央部分が突出した凸状部を有し、
前記凸状部は、筒状部と天板部とを有し、前記凸状部の内部空間に前記電源ユニットの少なくとも一部が填まり込んだ状態で収納され、
前記筒状部は、背面側から平面視するときに、複数の辺を有し、隣接する辺同士の間に角部をする形状であり、
基板上に複数の発光素子が実装されてなる複数の第２光源ユニットが、
前記筒状部の前記各辺に相当する部分に前記基板が沿った状態で配置され、
前記各第２光源ユニットは対応する辺と同等以上の長さを有する、
照明装置。
【請求項２】
前記角部の内角は９０°以上である、
請求項１記載の照明装置。
【請求項３】
前記ケースの中心から見た時に、互いに隣接する第２光源ユニットの発光部どうしの間隙が占める角度範囲が３０°以下である、
請求項１または２に記載の照明装置。
【請求項４】
前記筒状部は、４角以上の多角筒状である、
請求項１〜３のいずれかに記載の照明装置。
【請求項５】
前記ケースの背面側は、前記中央部分の周囲に鍔部分を有し、
前記各第２光源ユニットは、前記鍔部分に取付けられている、
請求項１〜４のいずれかに記載の照明装置。
【発明の詳細な説明】
【技術分野】
【０００１】
本発明は、器具本体に、ＬＥＤ（Light  Emitting  Diode）等の発光素子を有する光源ユニットが装着された照明装置に関し、特に、器具本体の外周が円形状である円型の照明装置に関する。
【背景技術】
【０００２】
近年、ＬＥＤなどの発光素子を光源とする光源ユニットを利用した照明装置が普及しつつある。例えば、建築物における室内用の照明装置として、ＬＥＤ発光素子を光源に用いた円型のシーリングライトが開発されている。
特許文献１に開示されている照明装置は、電源ユニットなどが収納された器具本体が、室内の天井に取り付けられ、器具本体における前面側（鉛直下方側）の面には、光源ユニットが装着されている。器具本体は、円形状の外周を有するケース内に電源ユニットが収納されて構成されている。
【０００３】
光源ユニットは、基板上にＬＥＤが実装された発光モジュール及びその表面に設けられた拡散レンズを有している。そして、光源ユニットを覆うように、ドーム型の透光性カバーが装着されている。このような照明装置において、主発光モジュールから出射される光は、拡散レンズおよびカバーを透過して、室内の壁や床を照射する。
【先行技術文献】
【特許文献】
【０００４】
【特許文献１】特開２０１２−１４６６６７号公報
【特許文献２】特開２０１２−１６４６２５号公報
【発明の概要】
【発明が解決しようとする課題】
【０００５】
上記照明装置のように器具本体の前面側（床側）に光源ユニットが装着されたものでは、天井および壁の上方等に出射光が届かない範囲が存在し得る。そこで、器具本体の背面側（天井側）にも複数の光源ユニットを環状に配置して、天井および壁の上方を照射できるようにすることも考えられる。
しかし、器具本体の背面側に複数の光源ユニットを環状に配置したときに、隣接する光源ユニット同士の切れ目に相当する箇所で照射面に影が生じて、照射面の見栄えが悪くなることがある。
【０００６】
本発明は、上記課題に鑑み、器具本体の前面側に第１光源ユニットを備え、背面側に、基板上に複数の発光素子が実装されてなる第２光源ユニットが複数配置された円型の照明装置において、複数の第２光源ユニット同士の切れ目に相当する箇所で照射面に影が生じるのを抑えて、照射面の見栄えを良くすることのできる照明装置を提供することを目的とする。
【課題を解決するための手段】
【０００７】
上記目的を達成するために、本発明の一態様に係る照明装置は、円形状の外周を有するケース内に電源ユニットが収納された器具本体と、器具本体の前面側に設けられた第１光源ユニットとを備える円型の照明装置であって、器具本体は、器具本体の背面側の中央部分が突出した凸状部を有し、凸状部は、筒状部と天板部とを有し、凸状部の内部空間に電源ユニットの少なくとも一部が填まり込んだ状態で収納され、筒状部は、背面側から平面視するときに、複数の辺を有し、隣接する辺同士の間に角部をする形状であり、基板上に複数の発光素子が実装されてなる複数の第２光源ユニットが、筒状部の各辺に相当する部分に基板が沿った状態で配置され、各第２光源ユニットは対応する辺と同等以上の長さを有する。
【０００８】
ここで、筒状部を背面側から平面視するときに表われる「辺」は、厳密に直線状である必要はなく、ゆるやかに湾曲する線状であってもよい。また、「角部」は丸みを帯びていてもよい。
【発明の効果】
【０００９】
上記態様の照明装置においては、器具本体は、背面側の中央部分に、突出した凸状部が形成され、その筒状部は背面側から平面視するときに複数の辺を有し、各辺に沿って第２光源ユニットの基板を配置している。この照明装置によれば、凸状部が円筒状である場合と比べて、凸状部の前面側の内部空間に電源ユニットの収納スペースを確保するとともに、第２光源ユニットの基板をケースの中心に近い位置に寄せることができる。
【００１０】
それによって、隣接する第２光源ユニット同士の間隙を狭くできるので、隣接する第２光源ユニット同士の切れ目に相当する箇所で照射面に影が生じるのを抑えて、照射面の見栄えをよくすることができる。
【図面の簡単な説明】
【００１１】
【図１】実施の形態にかかる照明装置１を前面側から見た分解斜視図。
【図２】照明装置１を背面側から見た外観斜視図。
【図３】照明装置１を背面側から見た分解斜視図。
【図４】照明装置１を背面側を分解して見た斜視図。
【図５】照明装置１における第２光源ユニット４の分解斜視図。
【図６】天井に取り付けられる照明装置１の断面図。
【図７】照明装置１及び照明装置１０１の構成を比較して示す斜視図。
【図８】照明装置１及び照明装置１０１の効果を示す平面図。
【図９】照明装置１及び照明装置１０１第２光源ユニットによって天井に照射される光と影を示すイメージ図。
【図１０】変形例にかかる照明装置８０，９０の平面図。
【発明を実施するための形態】
【００１２】
＜本発明に到る経緯＞
照明装置において、器具本体のケースの裏面すなわち背面側の中央部分に突出する凸状部を形成し、凸状部の内部空間に電源ユニットを収納する場合、一般的に凸状部の形状は器具本体のケースの外周形状に合わせて設定される。例えば、特許文献２に開示された照明装置のように、器具本体のケースの外周形状が四角形状である角型の照明装置では、凸状部の形状もそれに合わせて四角筒形状に形成するのが一般的である。一方、図７（ｂ）に示すように、器具本体のケースの外周形状が円形である円型の照明装置では、凸状部も円筒形状に形成するのが一般的である。
【００１３】
従って、円型の照明器具において、器具本体の背面側に複数の光源ユニットを環状に配置する場合、図７（ｂ）に示すように円筒状の凸状部１２５の周りに光源ユニット４を配置することが考えられる。
ここで、隣り合う光源ユニット４同士の間に形成される隙間が大きいと、その照射面において隙間に対応する箇所に影が目立ちやすくなるので、この隙間をできるだけ狭くすることが望まれる。
【００１４】
それに対して、円筒状の凸状部１２５の周りに、光源ユニットとして長さの長いものを配置したり、フレキシブルな発光モジュールを巻き付けることも、照射面に生じる影を抑えるのに有効と考えられる。
しかし、発光モジュールの基板として、耐久性のよいセラミック基板が用いられることが多く、実際に使用できる基板は平板状のものに限られることが多い。また、長さの長い発光モジュールはコスト高になるので、実際に使用できる発光モジュールのサイズも限られることが多い。
【００１５】
このような背景のもとに、本発明者は、使用できる光源ユニットの形状やサイズが限られているような場合でも、照射面に影が生じるのを低減できるようにすることを目指した。
そして、器具本体のケースの外周形状が円形である円型の照明装置において、凸状部の形状を円筒状でなく、角筒などの形状に設定し、その外面に沿って光源ユニットの基板を配置することに着目した。それによって、光源ユニット同士の隙間を狭くして、照射面に生じる影を抑えることを可能とした。
【００１６】
＜発明の態様＞
本発明の一態様にかかる照明装置は、円形状の外周を有するケース内に電源ユニットが収納された器具本体と、器具本体の前面側に設けられた第１光源ユニットとを備える円型の照明装置であって、器具本体は、器具本体の背面側の中央部分が突出した凸状部を有し、凸状部は、筒状部と天板部とを有し、凸状部の内部空間に電源ユニットの少なくとも一部が填まり込んだ状態で収納され、筒状部は、背面側から平面視するときに、複数の辺を有し、隣接する辺同士の間に角部をする形状であり、基板上に複数の発光素子が実装されてなる複数の第２光源ユニットが、筒状部の各辺に相当する部分に基板が沿った状態で配置され、各第２光源ユニットは対応する辺と同等以上の長さを有する。
【００１７】
それによって、凸状部の形状が円筒状である場合と比べて、凸状部の内部空間に電源ユニットの収納スペースを同等に確保しながら、筒状部の辺部分をケースの中心に近い位置に寄せて、第２光源ユニットをケースの中心に近い位置に配置することができる。
また、各第２光源ユニットは対応する辺と同等以上の長さを有しているので、隣接する第２光源ユニット同士の切れ目に相当する箇所で照射面に影が生じるのを抑え、照射面の見栄えをよくすることができる。
【００１８】
上記態様の照明装置において、角部の内角は９０°以上であることが、凸状部の内部空間の中に効率よく電源ユニットを収納する上で好ましい。
上記態様の照明装置において、ケースの中心から見た時に、互いに隣接する第２光源ユニットの発光部どうしの間隙が占める角度範囲が３０°以下であることが、照射面に影が生じるのを抑える上で好ましい。
【００１９】
上記態様の照明装置において、筒状部が４角以上の多角筒状であれば、その各側面に沿って第２光源ユニットを配置することによって、照射面に影が生じるのを抑えながら、全方向に光を放射することができる。
上記態様の照明装置において、ケースの背面側において中央部分の周囲に鍔部分を有している場合、各第２光源ユニットをその鍔部分に取付けることによって、各第２光源ユニットを筒状部の外側に容易に取り付けることができる。
【００２０】
＜実施の形態＞
本発明の一態様に係る照明装置について、図面を参照しながら説明する。
図１は、実施の形態に係る照明装置１を前面側から見た分解斜視図である。図２は照明装置１を背面側から見た外観斜視図、図３は照明装置１を背面側から見た分解斜視図である。説明上、これらの図において矢印Ｚで示す方向を前方、矢印Ｚの方向に対して垂直な平面を水平面ということとする。
【００２１】
（照明装置１の全体構成）
図１に示すように照明装置１は、器具本体２、器具本体２の前面側に設けられた第１光源ユニット３、器具本体２の背面側に環状に設けられた複数の第２光源ユニット４、第１光源ユニット３を覆う前カバー５、複数の第２光源ユニット４を覆う後カバー６を備える。
【００２２】
この照明装置１は、図６に示すように、装置の前方（矢印Ｚ）を鉛直下方に向け、背面を天井２００に対向させた状態で取り付けられて使用される。
以下に、器具本体２、第１光源ユニット３、第２光源ユニット４、前カバー５、後カバー６についてそれぞれ説明する。
（器具本体２）
器具本体２は、円板状の本体１０と、この本体１０の背面側に装着された後述の保護カバー２４とからなり、内部に空間を有するケースを形成している。このケースの内部空間に電源ユニット２０（制御ブロック２２及び電源ブロック２３）が収納されて構成されている。
【００２３】
以下に、本体１０、電源ユニット２０、保護カバー２４について、それぞれ詳述する。
電源ユニット２０：
電源ユニット２０は、第１光源ユニット３及び第２光源ユニット４に電力を供給するものであって、絶縁板２１と、その前面に設けられた制御ブロック２２及び電源ブロック２３等を備える。
【００２４】
制御ブロック２２は、ケース内に制御基板が収納されてなり、この制御基板と電源ブロック２３とがテープ電線２２ａによって接続されている。この制御ブロック２２は、例えば、ユーザーが操作するリモートコントローラーから出力される点灯信号および非点灯信号を受信し、電源ブロック２３に制御信号を出力する。
電源ブロック２３は、基板上に各種の電子部品が実装されて構成され、供給された交流電流を所望の直流電流に変換する回路を備える。
【００２５】
本体１０：
本体１０は、中央に貫通孔が設けられた円板状であって、例えば、金属板、あるいはセラミックスや熱伝導性樹脂のような絶縁性材料で形成されている。本体１０は、水平面（矢印Ｚに対して垂直な平面）に沿って拡がっている。本体１０の外径は、例えば約５５０ｍｍである。
【００２６】
本体１０は、主光源部３０が装着される円環状の平板部１１を有し、平板部１１の内側にはセンター光源部３６が装着される円環状の中央部１２、平板部１１の外側には、前カバー５が装着される円環状の外周部１３を有している。外周部１３の前面には前カバー５を着脱自在に装着するための受け部材５２が設けられている。
中央部１２は、平板部１１から一段前方に盛り上がり、外周部１３は平板部１１から一段背面側に後退している。
【００２７】
本体１０は、例えば鉄合金やアルミニウムのような金属板をプレス成型することにより形成される。
保護カバー２４：
本体１０の背面側には、電源ユニット２０を覆うように、金属からなる保護カバー２４が装着されている。
【００２８】
保護カバー２４は、図４に示すように、背面側に突出する凸状部２５と、凸状部２５の前端から外方につば状に延出された鍔部２６とを有する。そして、凸状部２５の内部に、電源ユニット２０（制御ブロック２２及び電源ブロック２３等）の少なくとも一部が填まり込んだ状態で収納されている。
鍔部２６は、その外縁が円形状であって、鍔部２６の外縁部分には円環状のフランジ部２６ａが形成されている。フランジ部２６ａは、本体１０の外周部１３にねじ止めされている。
【００２９】
凸状部２５は、全体形状が扁平な４角形の冠状であって、水平面に沿って拡がる４角形状の天板部２５ａ及びこの天板部２５ａの外周から前方に曲折された筒状部２５ｂとからなる。
筒状部２５ｂは、天板部２５ａの４つの辺２５１ａ〜２５４ａに沿って４つの面部分２５１〜２５４を有している。各面部分２５１〜２５４は、その前辺２５１ｂ，２５２ｂ…において鍔部２６につながっている。
【００３０】
筒状部２５ｂの形状については、図８（ａ）に示すように、背面側から平面視したときに、４つの面部分２５１〜２５４を４辺とする四角形状であって、隣接する辺同士は角部を挟んで付き合わせられている。ここで、辺同士の間の角部は丸みを帯びているが、隣接する辺同士は９０°で交わるので、角部の内角は９０°となる。
各面部分２５１〜２５４の水平方向の長さ（平面視したときの辺の長さ）は、例えば  ｍｍである。
【００３１】
なお、図８（ａ）に示す平面図では、各面部分２５１〜２５４は直線状に伸長しているが、この辺は厳密に直線状である必要はない。すなわち、筒状部２５ｂを平面視したときに四角形の辺に相当する線が、ゆるやかに湾曲する線であってもよい。また、図８（ａ）に示すように、隣接する辺同士の間の４つの角部分は丸みを帯びている。
筒状部２５ｂは、図６に示すようにＺ方向に対して若干傾斜し、筒状部２５ｂの筒径は、背面側において若干狭くなっている。なお、図６においては、筒状部２５ｂの面部分２５１〜２５４をＺ方向に切断した線は略直線状であるが、この線が曲線状であってもよい。
【００３２】
天版部２５ａの形状も、図４に示すように四角形状であって、互いに隣接する辺同士（辺２５１ａと辺２５２ａ、辺２５２ａと辺２５３ａ、…）は９０°で付き合わせられ、辺同士の間の角部分は丸みを帯びている。また、天板部２５ａと面部分２５１〜２５４も、辺２５１ａ〜２５４ａを挟んで付き合わせられ、辺２５１ａ〜２５４ａに沿った角部分が丸みを帯びている。
【００３３】
このような保護カバー２４も本体１０と同様に、金属板をプレス成型することにより形成される。
なお、保護カバー２４において天板部２５ａの中央には、天井に取り付け用の貫通孔２５ｃが開設されている。この貫通孔２５ｃの箇所には、図６に示すように天井２００に設置された取付器具２０１が嵌合される。また、電源ブロック２３から引き出された電源線２２ｂは、貫通孔２５ｃを通って給電用アダプタに接続され、取付器具２０１から給電用アダプタを介して照明装置１に給電がなされる。
【００３４】
また、保護カバー２４の背面にはパッキン２７が設けられ、保護カバー２４が天井２００と直接接触するのを防止している。
（第１光源ユニット３）
第１光源ユニット３は、円環状の主光源部３０と、主光源部３０の内側に設けられた小さい円環状のセンター光源部３６とで構成されている。
【００３５】
主光源部３０：
主光源部３０は、全体の形状が円環状である主発光モジュール３１と、その前面に設けられた円環状の主光源レンズ３２とで構成される。
主発光モジュール３１は、４つのサブユニット３３１〜３３４が円環状に配列されて形成されてる。各サブユニット３３１〜３３４は、１／４円弧状の基板３４と、その表面に配置された複数のＬＥＤ３５を含む。各ＬＥＤ３５の発光色は例えば白色である。
【００３６】
主光源レンズ３２は、主発光モジュール３１からの出射光を拡散するレンズであって、例えば、アクリル樹脂、ポリカーボネート樹脂、ガラス等の透光性材料で形成され、各ＬＥＤ３５の前方部分が凸状になっている。
センター光源部３６：
センター光源部３６は、主光源部３０の内方に填まり込む円環状のセンター発光モジュール３７と、その前面に設けられたセンターレンズ３８とで構成されている。センター発光モジュール３７は、円環状の基板３９と、基板３９の表面に円周状に配置された複数のＬＥＤ３９ａとを含む。各ＬＥＤ３９ａの発光色は例えば白色である。
【００３７】
センターレンズ３８は、センター発光モジュール３７からの出射光を拡散するレンズであって、主光源レンズ３２と同様に、透光性材料で形成され、ＬＥＤ３９ａの前方部分が凸状になっていている。
(前カバー５)
前カバー５は、第１光源ユニット３の全体を覆うことができる円形のドーム状に形成され、器具本体２に取付けられる円環状の取付口部５１を有する。
【００３８】
この前カバー５は、例えば、シリコーン樹脂、アクリル樹脂、ポリカーボネート樹脂、ガラス等の透光性材料で形成され、内面には、出射光を拡散させる拡散処理、例えば、シリカや白色顔料等による拡散処理が施されている。
前カバー５の器具本体２への装着は、取付口部５１の内周面に形成された係合凸部（不図示）を受け部材５２に係合させることによってなされる。
（第２光源ユニット４）
図４に示すように、保護カバー２４における筒状部２５ｂの外周面に沿って、４つの第２光源ユニット４が環状に配列されている。ここで、４つの第２光源ユニット４は、保護カバー２４の筒状部２５ｂに含まれる４つの面部分２５１〜２５４に沿って配置されている。
【００３９】
図５は第２光源ユニット４の分解斜視図である。
第２光源ユニット４は、取付部材４１と、取付部材４１に貼付けられた発光モジュール４２と、発光モジュール４２の光出射面を覆う透光性カバー４３とで構成されている。
取付部材４１は、保護カバー２４の鍔部２６にねじ止めで固定される固定部４１１と、固定部４１１から立設された搭載部４１２とを有し、搭載部４１２に発光モジュール４２が搭載されるようになっている。
【００４０】
発光モジュール４２は、長尺状の基板４２１と、基板４２１の長手方向に沿って表面に配置された複数のＬＥＤ４４によって構成されている。基板４２１は長尺平板状であって、その裏面が取付部材４１の搭載部４１２に貼り付けられている。
詳しくは、複数のＬＥＤ４４は、基板４２１の長手方向に沿って２列で線状に配列され、線状光源４２２ａ及び線状光源４２２ｂからなる発光部４２２が形成されている。図５に例示する線状光源４２２ａ及び線状光源４２２ｂはそれぞれ、１１個のＬＥＤ４４が列設されて形成されている。
【００４１】
基板４２１の表面には複数のＬＥＤ４４に給電する配線パターン（不図示）が形成され、基板４２１の両端部には、給電用のコネクタ４５が装着されている。このコネクタ４５には、電源ユニット２０から引き出された配線（不図示）が接続され、供給される電力は配線パターンを経由して各ＬＥＤ４４に供給される。
各ＬＥＤ４４は、例えばＬＥＤチップと樹脂材料からなる封止部材とで構成されたＳＭＤ（Surface  Mount  Device）である。線状光源４２２ａ、４２２ｂに含まれる２２個のＬＥＤ４４には、白色ＬＥＤが８個、電球色ＬＥＤが６個、橙色ＬＥＤ、青色ＬＥＤが４個ずつ含まれている。
【００４２】
８個の白色ＬＥＤは４直列２並列に接続されている。また、６個の電球色ＬＥＤ、４個の橙色ＬＥＤ、４個の青色ＬＥＤは、同じ色同士が直列に接続されてＬＥＤ群が４つ形成されている。
このように、白色、電球色、橙色、青色のＬＥＤ群が形成され、そして各色のＬＥＤ群は、個別に電源ユニット２０に電気接続され、個別に点灯できるようになっている。従って、第２光源ユニット４からは、白色、電球色、橙色、青色、あるいはそれらの混合色の光を出射することができる。
【００４３】
図４に示すように、４つの第２光源ユニット４は、基板４２１の裏面を保護カバー２４の面部分２５１〜２５４に対向させて、基板４２１の長手方向を水平方向に沿わせて配置されている。また、４つの第２光源ユニット４は、光出射方向を水平面に沿って外方に向けた状態で、凸状部２５の周りに環状に取付けられ、４方向に光を放射できるようになっている。
【００４４】
ここで、各第２光源ユニット４は、取付部材４１によって保護カバー２４の鍔部２６に、ねじ止めで取付けているので、容易に取付けを行うことができる。
また、取付部材４１における固定部４１１と搭載部４１２との角度を変更することによって、第２光源ユニット４が光を出射する上下方向の角度を自由に設定することができる。
【００４５】
従って、図６に示すように、凸状部２５の面部分２５１〜２５４は鉛直方向（Ｚ方向）に対して傾斜しているが、各第２光源ユニット４の基板４２１を鉛直方向（Ｚ方向）に起立させて、主出射方向が水平となるように設定することも容易にできる。
（面部分２５１〜２５４に対する第２光源ユニット４の長さ）
照明装置１において、面部分２５１〜２５４に沿って配置する第２光源ユニット４の長さが長いほど、隣接する第２光源ユニット４の発光部４２２同士の間隙Ｗ1及び角度Θ1は小さくなり、影が目立ちにくくなる。また、第２光源ユニット４の長さは、隣接する第２光源ユニット４の発光部４２２同士の間隙が占める角度Θ1が３０°以下となるように設定することが好ましい。
【００４６】
従って上記照明装置１において、第２光源ユニット４の長さは、各面部分２５１〜２５４の水平方向の長さ以上、すなわち平面視したときの辺の長さ（例えば約１５０ｍｍ）以上に設定している。
第２光源ユニット４の長さは、例えば約２００ｍｍである。
透光性カバー４３は、発光モジュール４２の前面を覆う透光性の部材であって、ＬＥＤ４４から出射された出射光を広範囲に拡散させる光拡散性を有している。この透光性カバー４３は、例えば、シリコーン樹脂、アクリル樹脂、ポリカーボネート樹脂、ガラス等の透光性材料で形成されている。透光性カバー４３に光拡散性を付与するには、前カバー５の内面と同様、カバーの内面にシリカや白色顔料等による拡散処理を施せばよい。この透光性カバー４３は、発光モジュール４２の前面上を覆った状態で、両端部が取付部材４１にねじ止めされている。
【００４７】
（後カバー６）
後カバー６は、第２光源ユニット４を覆う光透過性のカバーであって、その中央部には保護カバー２４の後部が貫通する開口６１が開設されている。後カバー６は、外周は円形状であるが、開口６１は四角形状であって、保護カバー２４の天板部２５ａが開口６１から背面側に露出している。
【００４８】
後カバー６を構成する材料は、例えば、アクリル樹脂、ポリカーボネート樹脂、ガラス等の透光性材料である。
（照明装置１の動作）
上記の構成の照明装置１において、器具本体２の前面側に設けられた第１光源ユニット３からの出射光は、前カバー５を透過して照明装置１の前方に取り出される。ここで、主光源部３０及びセンター光源部３６は、個別に光を出射することもできるし、両方同時に光を出射することもできる。
【００４９】
一方、器具本体２の背面側に設けられた４つの第２光源ユニット４からの出射光は、第１光源ユニット３からの出射光が届かない天井や壁の上方を照らすことができる。第２光源ユニット４は、第１光源ユニット３と共に光を出射することもできるし、単独で光を出射することもできる。
また、４つの第２光源ユニット４は、それぞれ独立して光を出射することができ、その発光色も、白色、電球色、橙色、青色、あるいはそれらの混合色を出射することができる。
【００５０】
（照明装置１における効果）
照明装置１において、４つの第２光源ユニット４は、器具本体２の背面側において、水平方向に光を出射するので、天井２００及び壁の上部を照射することができる。
次に、４つの第２光源ユニット４を、筒状部２５ｂの４つの面部分２５１〜２５４に沿って配置したことによる効果について説明する。
【００５１】
基本的に、照明装置１においては、４つの第２光源ユニット４を、四方向に外方に向けて配置しているので、照明装置１の周囲の四方向に均等に光を放射することができる。
さらに、以下に説明するように、その照射面において、隣接する第２光源ユニット４同士の切れ目に相当する箇所で影が生じにくい。
図７（ａ），（ｂ）は、実施の形態にかかる照明装置１と、比較例にかかる照明装置１０１の構成を対比して示す斜視図である。照明装置１と照明装置１０１とは、４つの第２光源ユニット４が配設されている点は同じである。
【００５２】
図７（ａ）に示す照明装置１は、上述したように保護カバー２４の凸状部２５が、四角筒状の筒状部２５ｂを有し、その面部分２５１〜２５４に沿って４つの第２光源ユニット４が配置されている。一方、図７（ｂ）に示す照明装置１０１は、保護カバー１２４の凸状部１２５は、円筒形状の筒状部１２５ｂを有し、その外周面に沿って４つの第２光源ユニット４が配置されている。
【００５３】
ここで、凸状部２５と凸状部１２５とは、高さ及び体積が同等とする。従って、凸状部２５の筒状部２５ｂと凸状部１２５の筒状部１２５ｂの内部空間の体積は同等である。
また、照明装置１と照明装置１０１とに用いられている４つの第２光源ユニット４は同じ形状で同じサイズとする。
図８（ａ），（ｂ）は、照明装置１及び照明装置１０１において、その背面側から第２光源ユニット４の配置をみた平面図である。
【００５４】
照明装置１における筒状部２５ｂと照明装置１０１における筒状部１２５ｂは、内部の体積が同等なので、中心Ｏから筒状部２５ｂの面部分２５１〜２５４までの距離Ｒ1は、中心Ｏから筒状部１２５ｂまでの距離Ｒ2よりも短い。
従って、照明装置１０１と比べて照明装置１においては、各第２光源ユニット４と中心Ｏとの距離を短くすることができる。それに伴って、照明装置１における隣接する第２光源ユニット４の発光部４２２同士の間隙Ｗ1を、照明装置１０１における隣接する第２光源ユニット４の発光部４２２同士の間隙Ｗ2より狭くすることができる（間隙Ｗ1＜間隙Ｗ2）。また、中心Ｏから見たときに、照明装置１における発光部４２２同士の間隙が占める角度Θ1を、照明装置１０１における発光部４２２同士の間隙が占める角度Θ2よりも小さくできるということもできる。
【００５５】
それによって、照明装置１においては、照明装置１０１と比べて、隣接する第２光源ユニット４を同時に点灯したときに両者の切れ目に相当する箇所で照射面に生じる影を小さくすることができる。
この点について図８（ａ），（ｂ）を参照しながら説明する。
図８（ａ），（ｂ）において、各第２光源ユニット４では、発光部４２２の端部において基板４２１に垂直な垂線Ｎから外側に一定の角度αまで光が出射されるものとしている。そして、線Ｌ１は光の出射範囲の限界を示し、線Ｌ１より外側の網かけした範囲は光が出射されない範囲、すなわち影となる範囲を示している。
【００５６】
図８（ａ）に示す照明装置１では、図８（ｂ）の照明装置１０１と比べて、影の範囲は狭く短くなっており、照射面に生じる影が小さくなることを示している。
図９（ａ），（ｂ）は、天井２００に取り付けた照明装置１及び照明装置１０１において、４つの第２光源ユニット４を点灯させたときに天井２００に照射される光と影を示すイメージ図である。図中、光が照射される照射面は白く表示し、光が照射されない影の部分は網かけしている。
【００５７】
図９（ｂ）に示すように照明装置１０１では、隣接する第２光源ユニット４同士の切れ目に対応する影（範囲Ａ）が目立つが、図９（ａ）に示すように照明装置１では影が目立たなくなっている。
このように照明装置１においては、複数の第２光源ユニット４を同時に点灯させたときに照射面に生じる影を抑える効果がある。そして、このような影の発生を抑える効果は、各第２光源ユニット４で白色ＬＥＤ群を点灯する場合だけでなく、いずれの色のＬＥＤ群を点灯する場合にも得ることができる。
【００５８】
また、照明装置１で影の発生が抑えられる効果は、４つの第２光源ユニット４をすべて点灯させた場合だけでなく、第２光源ユニット４を３つだけ点灯させた場合、あるいは隣接する２つの第２光源ユニット４だけを点灯させた場合にも得られる。
（変形例など）
１．上記照明装置１においては、凸状部２５が四角筒状であったが、図１０（ａ）に示す照明装置８０においては凸状部８５が五角筒状であって、５つの第２光源ユニット４が、その５つの面部分に沿って装着されている。この照明装置８０においても、円筒状の凸状部１２５の周りに５つの第２光源ユニット４を配置する場合と比べると、本体１０の中心Ｏに近い位置に５つの第２光源ユニット４を配置することができる。従って、照明装置１と同様、隣接する第２光源ユニット４の切れ目に相当する箇所に影が発生するのを抑える効果が得られる。
【００５９】
なお、凸状部２５が六角以上の角筒状である場合においても、同様に影の発生を抑える効果が得られる。
２．一方、凸状部２５を三角筒状にして３つの第２光源ユニット４を配置した場合も、円筒状の凸状部の周りに３つの第２光源ユニット４を配置した物と比べると、影の発生を抑える効果を奏するが、三角筒状にすると、隣接する第２光源ユニット４の出射方向が大きく異なるので、その点で照射面に影が生じやすくなる。また、凸状部２５が三角筒状であると、内部に収納スペースを確保しにくくなる。
【００６０】
このような観点から、凸状部２５は筒状部が四角以上の多角筒状であることが好ましい。言い換えると、凸状部２５の筒状部は、平面視したときに隣接する辺同士の間の角部の内角は９０°以上であることが好ましい。
また、電源ユニット２０を構成する基板は四角状であるとが多いので、照明装置１のように凸状部２５を四角筒状に形成することは、凸状部２５の内部空間に電源ユニット２０を効率よく収納し、デッドスペースを少なくするのに適している。
【００６１】
３．上記照明装置１においては、４つの第２光源ユニット４を環状に配設し、４方向に光を放射できるようにしたが、必ずしも複数の第２光源ユニット４を環状に配置しなくてもよい。
例えば図１０（ｂ）に示す照明装置９０では、凸状部９５の筒状部に３つの面部分９５１〜９５３が三方に形成され、その３つの面部分９５１〜９５３に第２光源ユニット４がそれぞれ配置されている。
【００６２】
このような照明装置９０においても、照明装置１と同様に、隣接する第２光源ユニット４の切れ目に対応する箇所において照射面に影が発生するのを抑えることができる。
さらに、この筒部分において、面部分９５３がなく、２つの隣接する各面部分９５１，９５２だけに第２光源ユニット４が配置されている場合も、照明装置１と同様に、隣接する第２光源ユニット４の切れ目に対応する箇所に影が発生するのを抑えることができる。
【００６３】
４．上記照明装置１においては、光源モジュールの発光源としてＬＥＤを用いたが、ＬＤ（レーザダイオード）、ＥＬ素子（エレクトリックルミネッセンス素子）などを用いても良い。
５．上記実施の形態では、シーリングライト用の照明装置を例にとって説明したが、シーリングライト以外に、例えば壁付型の照明装置においても、同様に実施することができ、同様の効果を得ることができる。
【符号の説明】
【００６４】
１    照明装置
２    器具本体
３    第１光源ユニット
４    第２光源ユニット
５    前カバー
６    後カバー
１０    本体
２０    電源ユニット
２４    保護カバー
２５    凸状部
２５ａ  天板部
２５ｂ  筒状部
３０    主光源部
３６    センター光源部
４１    取付部材
４２    発光モジュール
４３    透光性カバー
４４    ＬＥＤ
８０，９０  照明装置
８５，９５    凸状部
２５１〜２５４  面部分
２５１ａ〜２５４ａ  天板部の辺
２５１ｂ，２５２ｂ  前辺
４１１    固定部
４１２    搭載部
４２１    基板
４２２    発光部
【図１】
2014130738.tif 000003
【図２】
2014130738.tif 000004
【図３】
2014130738.tif 000005
【図４】
2014130738.tif 000006
【図５】
2014130738.tif 000007
【図６】
2014130738.tif 000008
【図７】
2014130738.tif 000009
【図８】
2014130738.tif 000010
【図９】
2014130738.tif 000011
【図１０】
2014130738.tif 000012